【手続補正書】
【提出日】平成16年6月1日(2004.6.1)
【手続補正１】
【補正対象書類名】明細書
【補正対象項目名】発明の名称
【補正方法】変更
【補正の内容】
【発明の名称】文書編集装置及び文書編集装置における記録管理方法
【手続補正２】
【補正対象書類名】明細書
【補正対象項目名】特許請求の範囲
【補正方法】変更
【補正の内容】
【特許請求の範囲】
【請求項１】
記録媒体に記録された記録情報に対して所定の書き換えを行える文書編集装置において、
前記記録情報に対する書き換え可能回数を設定し、該書き換え可能回数以内だけ前記記録情報に対する書き換えを可能としたことを特徴とする文書編集装置。
【請求項２】
記録媒体に記録された記録情報に対して所定の書き換えを行える文書編集装置において、
前記記録媒体から読み出された記録情報に対して書き換えを行う場合に、この書き換えられた記録情報を別の記録領域に記憶し、この記録領域に記憶された記録情報に対しては書き換えを禁止することを特徴とする文書編集装置。
【請求項３】
記録媒体に記録された記録情報に対して所定の書き換えを行える文書編集装置において、
前記記録媒体から読み出された記録情報に対して書き換えを行う場合に、この書き換えられた記録情報を別の記録領域に記憶し、この別の記録領域に記憶された記録情報に対しては書き換えを禁止し、前記記録媒体に記憶された記録情報に対して再度書き換えを行う場合は、この書き換えられた記録情報を前記別の記録領域に記憶した記録情報とは異なるバージョン情報を付与して前記別の記録領域に記憶し、この記録領域に記憶された記録情報に対しては書き換えを禁止することを特徴とする文書編集装置。
【請求項４】
１つ以上の画像情報、１つ以上の文字情報の少なくともいずれかの記録情報を組み合わせてレポート情報を作成する文書編集装置において、
前記１つ以上の画像情報、１つ以上の文字情報の少なくともいずれかの記録情報を任意に書き換える第１の編集手段と、前記書き換えられた情報を含む記録情報を組み合せてレポート情報を作成する第２の編集手段と、前記作成されたレポート情報を書き換え不可の情報として記憶する第１の記憶手段と、
を備えたことを特徴とする文書編集装置。
【請求項５】
前記第２の編集手段におけるレポート情報の作成の際に、前記第１の編集手段により任意に書き換えられた同一の記録情報を組み合わせる場合、作成されるレポート情報の作成回数を示すバージョン情報を前記レポート情報と関連付けて記憶する第２の記憶手段をさらに備えたことを特徴とする請求項４に記載の文書編集装置。
【請求項６】
前記文書編集装置は、医療用の文書編集装置であることを特徴とする請求項１から５のいずれか一つに記載の文書編集装置。
【請求項７】
書き換えが可能な状態で情報を記録する第１の記録領域と、書き換えが不可の状態で情報を記録する第２の記録領域とが設定された記録媒体に対して、
前記情報に対して更新を行うか否かを選択する選択ステップと、
前記選択ステップにおいてデータの更新を行うことの選択がされたときに該データを前記第２の記録領域に更新データとして追加記録する記録ステップと、
を備えたことを特徴とする文書編集装置における記録管理方法。
【請求項８】
前記第２の記録領域に対する前記更新データの記録可能な回数が設定されており、この回数以下の場合のみ前記更新データの追加記録を行うことを特徴とする請求項７に記載の文書編集装置における記録管理方法。
【手続補正３】
【補正対象書類名】明細書
【補正対象項目名】０００１
【補正方法】変更
【補正の内容】
【０００１】
【発明の属する技術分野】
本発明は、内視鏡装置等と共に用いられ、画像情報、文字情報等の各種情報の記録及び管理を行う文書編集装置及び文書編集装置における記録管理方法に関する。
【手続補正４】
【補正対象書類名】明細書
【補正対象項目名】０００７
【補正方法】変更
【補正の内容】
【０００７】
【課題を解決するための手段】
請求項１に記載の発明は、記録媒体に記録された記録情報に対して所定の書き換えを行える文書編集装置において、
前記記録情報に対して書き換えを行い、書き換えた記録情報を別の領域に記録して書き換えを禁止し、前記記録情報に記録された記録情報に対して再度書き換えを行う場合はその書き換え可能回数を設定し、該書き換え可能回数以内だけ前記記録情報に対する書き換え、及び前記別の領域への記録を可能にしたものである。
請求項２に記載の発明は、記録媒体に記録された記録情報に対して所定の書き換えを行える文書編集装置において、
前記記録媒体から読み出された記録情報に対して書き換えを行う場合に、この書き換えられた記録情報を別の記録領域に記憶し、この記録領域に記憶された記録情報に対しては書き換えを禁止することを特徴とする。
請求項３に記載の発明は、記録媒体に記録された記録情報に対して所定の書き換えを行える文書編集装置において、
前記記録媒体から読み出された記録情報に対して書き換えを行う場合に、この書き換えられた記録情報を別の記録領域に記憶し、この別の記録領域に記憶された記録情報に対しては書き換えを禁止し、前記記録媒体に記憶された記録情報に対して再度書き換えを行う場合は、この書き換えられた記録情報を前記別の記録領域に記憶した記録情報とは異なるバージョン情報を付与して前記別の記録領域に記憶し、この記録領域に記憶された記録情報に対しては書き換えを禁止することを特徴とする。
請求項４に記載の発明は、１つ以上の画像情報、１つ以上の文字情報の少なくともいずれかの記録情報を組み合わせてレポート情報を作成する文書編集装置において、
前記１つ以上の画像情報、１つ以上の文字情報の少なくともいずれかの記録情報を任意に書き換える第１の編集手段と、前記書き換えられた情報を含む記録情報を組み合せてレポート情報を作成する第２の編集手段と、前記作成されたレポート情報を書き換え不可の情報として記憶する第１の記憶手段と、
を備えたことを特徴とする。
請求項７に記載の発明は、書き換えが可能な状態で情報を記録する第１の記録領域と、書き換えが不可の状態で情報を記録する第２の記録領域とが設定された記録媒体に対して、
前記情報に対して更新を行うか否かを選択する選択ステップと、
前記選択ステップにおいてデータの更新を行うことの選択がされたときに該データを前記第２の記録領域に更新データとして追加記録する記録ステップと、
を備えたことを特徴とする。
【手続補正５】
【補正対象書類名】明細書
【補正対象項目名】００６４
【補正方法】変更
【補正の内容】
【００６４】
［付記］
（１）  記録媒体に記録された記録情報に対して所定の書き換えを行える文書編集装置において、
前記記録情報に対する書き換え可能回数を設定し、該書き換え可能回数以内だけ前記記録情報に対する書き換えを可能としたことを特徴とする文書編集装置。
【手続補正６】
【補正対象書類名】明細書
【補正対象項目名】００６５
【補正方法】変更
【補正の内容】
【００６５】
（２）  記録媒体に記録された記録情報に対して所定の書き換えを行える文書編集装置において、
前記記録媒体から読み出された記録情報に対して書き換えを行う場合に、この書き換えられた記録情報を別の記録領域に記憶し、この記録領域に記憶された記録情報に対しては書き換えを禁止することを特徴とする文書編集装置。
【手続補正７】
【補正対象書類名】明細書
【補正対象項目名】００６６
【補正方法】変更
【補正の内容】
【００６６】
（３）  記録媒体に記憶された記録情報に対して所定の書き換えを行える文書編集装置において、
前記記録媒体から読み出された記録情報に対して書き換えを行う場合に、この書き換えられた記録情報を別の記録領域に記憶し、この別の記録領域に記憶された記録情報に対しては書き換えを禁止し、
前記記録媒体に記憶された記録情報に対して再度書き換えを行う場合は、この書き換えられた記録情報を前記別の記録領域に記憶した記録情報とは異なるバージョン情報を付与して前記別の記録領域に記憶し、この記録領域に記憶された記録情報に対しては書き換えを禁止することを特徴とする文書編集装置。